(57)【要約】【課題】スタンディングパウチを開封した後において、開口部が広げられた状態を保持することができるスタンディングパウチを提供することを課題とする。【解決手段】スタンディングパウチは、前側胴部と後ろ側胴部は、四辺を有してシーラント層同士が対向して重ね合わせられ、胴部上部において、上端部はシール予定部を有しており、シール予定部は、内容物充填後にシールされて、上端部は密封可能であり、シール予定部に沿って、その近傍の下方には、少なくとも一方の胴部に、幅方向に開封予定線を有しており、さらに少なくとも一方の胴部において、開封予定線の位置に沿って、その近傍の下方には、形状保持部材が、胴部外側に幅方向全体、または幅方向の一部に接着されていることを特徴とする、スタンディングパウチ。【選択図】図１
2020006997.tif 000002
【特許請求の範囲】
【請求項１】
プラスチックフィルムを基材として、シーラント層を有する積層体からなるスタンディングパウチにおいて、
該スタンディングパウチは、前側胴部、後ろ側胴部、および底フィルムからなり、
該前側胴部と後ろ側胴部は、四辺を有してシーラント層同士が対向して重ね合わせられ、
該四辺のうち、左右両端部はシールされて密封されており、
該胴部下部において底フィルムは、前側胴部と後ろ側胴部との間に折りたたまれて配置され、拡張可能にシールされて、底部は密封されており、
該胴部上部において、上端部はシール予定部を有しており、
該シール予定部は、内容物充填後にシールされて、上端部は密封可能であり、
該シール予定部に沿って、その近傍の下方には、少なくとも一方の胴部に、幅方向に開封予定線を有しており、
さらに少なくとも一方の胴部において、開封予定線の位置に沿って、その近傍の下方には、形状保持部材が、胴部外側に幅方向全体、または幅方向の一部に接着されていることを特徴とする、スタンディングパウチ。
【請求項２】
前記形状保持部材は、ヒートシーラブル性を有するポリエチレンテレフタレートフィルムを基材として、形状保持性を有する高密度ポリエチレンフィルムを有する積層体からなることを特徴とする、請求項１に記載のスタンディングパウチ。
【請求項３】
前記形状保持部材は、ヒートシーラブル性を有するポリエチレンテレフタレートフィルムと、形状保持性を有する高密度ポリエチレンフィルムとが、直鎖状低密度ポリエチレン樹脂層を介して積層されたものであることを特徴とする、請求項１または請求項２に記載のスタンディングパウチ。
【請求項４】
前記形状保持部材は、ヒートシーラブル性を有するポリエチレンテレフタレートフィルムと、形状保持性を有する高密度ポリエチレンフィルムとが、熱によるラミネートによって積層されたものであることを特徴とする、請求項１または請求項２に記載のスタンディングパウチ。
【発明の詳細な説明】
【技術分野】
【０００１】
本発明はスタンディングパウチに関するものである。特に、プラスチックフィルムを基材とした積層体からなるスタンディングパウチで、自立性を有し、開封した際には開口部の形状を保持して、内容物の取出しなどに利便性を有する開口部形状保持機能を有するスタンディングパウチに関するものである。
【背景技術】
【０００２】
包装材料の一種であるパウチは、プラスチックフィルムを基材とする単体または積層体から構成されるものが広く普及しており、さまざまな形態のものが、幅広い用途に用いられており、現代生活にとっては不可欠なものとなっている。
【０００３】
例えば液体容器としても用いられ、飲料のほかレトルト食品などの食品分野でも広く用いられているほか、日用品やトイレタリーの分野でも、さまざまな商品がスーパーマーケットやドラッグストア、コンビニエンスストアの商品棚をにぎわしている。液体容器のほかにも、様々な用途展開がなされている。
【０００４】
パウチの利点は、缶や瓶などの容器に比べて、価格が安いことや、要求品質によってきめ細かい材料設計で対応できる点、あるいは内容物充填前および流通や保管においても軽量で省スペースであることが挙げられる。またパウチは、廃棄物を減らすという観点からは環境適応型であるといえる。
【０００５】
また表面から見える層への高精細の印刷によって、商品のイメージアップを図ることができ、内容物に関する必要な情報を表示することが可能であり、バーコードの印刷などは、商品の流通やマーケティング情報の源泉ともなっている。
【０００６】
パウチの中には、自立性を持たせたものも商品化されており、一般にスタンディングパウチと呼ばれている。自立性を持たせることにより、内容物の取り出しにおいて一層の利便性が図られてきた。
【０００７】
あるいは、食品等を充填したスタンディングパウチの電子レンジによる加熱調理において、消費者の使い勝手のよさという視点からは、加熱調理に際してスタンディングパウチ内部で発生した水蒸気が、内圧の急激な上昇を招くために、通蒸機構を有していることが好適とされる。
【０００８】
さらに加熱調理後のスタンディングパウチの開封に際して、残留した水蒸気によるやけど防止や、開口部の開封性の容易さに加えて、開口部の形状の保持などが重要視されている。
【０００９】
特許文献１には、内容物を充填した状態において自立性を有するスタンディングパウチの提案がなされているが、自立性や充填性にのみ重点が置かれ、開口部がスタンディングパウチの上部の切り取りによって形成された後の、開口部の形状保持については考慮されたものではなかった。
【００１０】
また一般にコンビニエンスストアなどでは、多くの食品が、トレー、プラスチック容器、あるいはスタンディングパウチなどに収納されて、消費者に供されている。このうち、トレー、プラスチック容器は内容物がなくなったあと、洗浄して廃棄する必要があった。しかしながら、コンビニエンスストアのイートインスペースや、野外での喫食においては
実施することが困難であった。
【００１１】
また、スタンディングパウチのうち、一般的なチャック付きのものは、パウチの開口部が閉塞しやすく、パウチからの直接の喫食には不向きであって、内容物の取り出し、食器の出し入れに困難を伴なうものであった。
【先行技術文献】
【特許文献】
【００１２】
【特許文献１】特開２００６−９６３８８号公報
【発明の概要】
【発明が解決しようとする課題】
【００１３】
本発明はかかる状況に鑑みてなされたものであり、スタンディングパウチを開封した後において、開口部が広げられた状態を保持することができるスタンディングパウチを提供することを課題とする。
【課題を解決するための手段】
【００１４】
上記の課題を解決するための手段として、請求項１に記載の発明は、
プラスチックフィルムを基材として、シーラント層を有する積層体からなるスタンディングパウチにおいて、
該スタンディングパウチは、前側胴部、後ろ側胴部、および底フィルムからなり、
該前側胴部と後ろ側胴部は、四辺を有してシーラント層同士が対向して重ね合わせられ、
該四辺のうち、左右両端部はシールされて密封されており、
該胴部下部において底フィルムは、前側胴部と後ろ側胴部との間に折りたたまれて配置され、拡張可能にシールされて、底部は密封されており、
該胴部上部において、上端部はシール予定部を有しており、
該シール予定部は、内容物充填後にシールされて、上端部は密封可能であり、
該シール予定部に沿って、その近傍の下方には、少なくとも一方の胴部に、幅方向に開封予定線を有しており、
さらに少なくとも一方の胴部において、開封予定線の位置に沿って、その近傍の下方には、形状保持部材が、胴部外側に幅方向全体、または幅方向の一部に接着されていることを特徴とする、スタンディングパウチである。
【００１５】
また、請求項２に記載の発明は、
前記形状保持部材は、ヒートシーラブル性を有するポリエチレンテレフタレートフィルムを基材として、形状保持性を有する高密度ポリエチレンフィルムを有する積層体からなることを特徴とする、請求項１に記載のスタンディングパウチである。
【００１６】
また、請求項３に記載の発明は、
前記形状保持部材は、ヒートシーラブル性を有するポリエチレンテレフタレートフィルムと、形状保持性を有する高密度ポリエチレンフィルムとが、直鎖状低密度ポリエチレン樹脂層を介して積層されたものであることを特徴とする、請求項１または請求項２に記載のスタンディングパウチである。
【００１７】
また、請求項４に記載の発明は、
前記形状保持部材は、ヒートシーラブル性を有するポリエチレンテレフタレートフィルムと、形状保持性を有する高密度ポリエチレンフィルムとが、熱によるラミネートによって積層されたものであることを特徴とする、請求項１または請求項２に記載のスタンディングパウチである。
【発明の効果】
【００１８】
本発明によれば、スタンディングパウチを開封した後において、開口部が広げられた状態を保持することができるスタンディングパウチを提供することが可能である。これは、内容物を食品にした場合には、たとえばコンビニエンスストアのイートインスペースでの喫食や、野外での喫食を可能にしたりできるほか、廃棄物の減容化などにも貢献することができる。
【００１９】
特に請求項２に記載の発明によれば、形状保持部材が、ヒートシーラブル性を有するポリエチレンテレフタレートフィルムを基材として、形状保持性を有する高密度ポリエチレンフィルムを有する積層体であることによって、比較的簡単な工程で作成することができ、たとえば電子レンジなどによる調理にも適性を有し、形状保持効果に優れた、スタンディングパウチを提供することが可能である。
【００２０】
また特に請求項３に記載の発明によれば、形状保持部材は、ヒートシーラブル性を有するポリエチレンテレフタレートフィルムと、形状保持性を有する高密度ポリエチレンフィルムとが、直鎖状低密度ポリエチレン樹脂層を介して積層されたものであることによって、比較的簡単な工程で作成することができ、たとえば電子レンジなどによる調理にも適性を有し、形状保持効果に優れた、スタンディングパウチを提供することが可能である。
【００２１】
また特に請求項４に記載の発明によれば、形状保持部材は、ヒートシーラブル性を有するポリエチレンテレフタレートフィルムと、形状保持性を有する高密度ポリエチレンフィルムとが、熱によるラミネートによって積層されたものであることによって、より簡単な層構成で、またより簡単で安定した、熱によるラミネートで形状保持部材を構成することができ、その結果形状保持効果に優れたスタンディングパウチを提供することが可能である。
【図面の簡単な説明】
【００２２】
【図１】図１は、本発明に係るスタンディングパウチの一実施態様を説明するための平面模式図である。
【図２】図２は、本発明に係るスタンディングパウチに関して、形状保持部材の一実施態様を説明するための部分断面模式図である。
【図３】図３は、本発明に係るスタンディングパウチに関して、形状保持部材の他の実施態様を説明するための部分断面模式図である。
【図４】図４は、本発明に係るスタンディングパウチに関して、実施例で作成したスタンディングパウチの形状および寸法を示した平面模式図である。
【図５】図５は、本発明に係るスタンディングパウチに関して、実施例１を説明するための斜視模式図である。
【図６】図６は、本発明に係るスタンディングパウチに関して、実施例２を説明するための斜視模式図である。
【図７】図７は、実施例におけるスタンディングパウチに関して、比較例１を説明するための斜視模式図である。
【図８】図８は、実施例におけるスタンディングパウチに関して、比較例２を説明するための斜視模式図である。
【発明を実施するための形態】
【００２３】
以下、本発明を図１〜図３を参照しながら、更に詳しい説明を加える。ただし本発明は、ここに示す例にのみ限定されるものではない。本発明は、請求項によって限定されるものである。
【００２４】
図１は、本発明に係るスタンディングパウチの一実施態様を説明するための平面模式図である。
【００２５】
本発明はプラスチックフィルムを基材として、シーラント層を有する積層体からなるスタンディングパウチ（１００）に関するものである。
【００２６】
スタンディングパウチ（１００）は、前側胴部（１）、後ろ側胴部（８）、および底フィルム（７）からなり、前側胴部（１）と後ろ側胴部（８）とは、四辺を有してシーラント層同士が対向して重ね合わせられ、周縁各部をシールして製袋される。
【００２７】
四辺のうち、左右両端部（２）はシールされて密封されており、胴部下部（１０）において底フィルム（７）は、前側胴部（１）と後ろ側胴部（８）との間に折りたたまれて配置され、拡張可能にシールされて、底部すなわち胴部下部（１０）は、底部シール部（３）によって密封されている。
【００２８】
底フィルム（７）は、内容物を充填した際には、底フィルム（７）の折り目（１３）で拡張されて、胴部下部（１０）に面を形成し、スタンディングパウチ（１００）の自立性に効果的である。この自立性によって、スタンディングパウチ（１００）は、使い勝手の点のみならず、店頭での陳列においてハンドリングや見た目の良さなどの、利点を有する。
【００２９】
胴部上部（１１）において、上端部はシール予定部（４）を有しており、シール予定部（４）は、内容物充填後にシールされて、上端部は密封可能であり、シールされた後には上端シール部（１２）となる。
【００３０】
またシール予定部（４）に沿ってその下方には、少なくとも一方の胴部に、幅方向に開封予定線（５）を有している。開封予定線（５）は、はさみやカッターナイフなどの刃物を用いて胴部の積層体を切り裂いて開口部を設けることができる。
【００３１】
また、開封予定線（５）に易開封機構が設けてある場合には、たとえば切込み（９）をきっかけとして、手指を用いて開封予定線（５）を容易に切り裂いて、開口部を設けることが可能である。
【００３２】
易開封機構は、たとえばスタンディングパウチ（１００）を構成する積層体にハーフカットによる脆弱部を設けて、開封を容易にする機構であって、ハーフカットにはレーザー光照射や、刃物を用いて形成することができる。また、積層体を構成するフィルムの配向性を利用して、一定の方向の引き裂きを容易にする方法をとることも可能である。
【００３３】
また、本発明によるスタンディングパウチ（１００）においては、さらに少なくとも一方の胴部に、形状保持部材（６）が、開封予定線（５）の位置の近傍で、それより下方の胴部外側に、幅方向全体、または幅方向の一部に接着されている。
【００３４】
図１に示す例においては形状保持部材（６）は、テープ状の形状で、開封予定線（５）の下方に、スタンディングパウチ（１００）の一方の側端部から他方の側端部にいたる直線で、幅方向に接着して設けてある例である。
【００３５】
これは本発明における特徴のひとつであって、形状保持部材（６）を開封予定線（５）の近傍で、それより下方に設けてあることによって、スタンディングパウチ（１００）を開封予定線（５）に沿って開封して開口部を設ける場合に、積層体の弾性、あるいは剛性などによって開口部が閉じることがなく、その開口した形状を維持させることができる。
【００３６】
本発明において、積層体を構成するプラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択することができる。
【００３７】
特にポリプロピレン、ポリエチレンテレフタレートをプラスチックフィルムとする場合は、フィルム強度と価格においてより好ましい。そのほか延伸ポリアミドフィルムを用いる場合には、積層体に突き刺しに対する耐穴あき性や、外力や衝撃に対する強靭性を付与することができる。
【００３８】
またプラスチックフィルムは、接着剤層を介して他の層と積層して積層体とすることができる。積層体の層構成やその材料構成、厚さなどは、スタンディングパウチに対する要求品質に応じて適宜設計することができる。
【００３９】
また本発明において、シーラント層は、２枚の積層体をシーラント層同士が対向するように重ねて、加熱、加圧してヒートシールすることによって互いを接着させ、パウチに製袋することを可能にする。
【００４０】
シーラント層の材質としては、熱可塑性樹脂のうちポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂、あるいはホモポリプロピレン樹脂（ＰＰ）、プロピレン−エチレンランダム共重合体、プロピレン−エチレンブロック共重合体、プロピレン−αオレフィン共重合体などのポリプロピレン系樹脂等を使用することができる。
【００４１】
シーラント層の形成には、押出機などを用いて溶融した樹脂を製膜して、積層体上に層形成することができる。あるいは、あらかじめフィルムの状態に製膜してある材料を、ラミネートによって積層することによって、積層体の表面にシーラント層を形成することも可能である。
【００４２】
また必要に応じて、商品としてのイメージアップや、内容物についての必要な情報表示や意匠性の向上を目的として、プラスチックフィルムを基材とする積層体中の、パウチ外側から見える層に印刷層を設けることができる。印刷層はパウチの最外層に設けるのでも構わない。
【００４３】
また印刷層は、パウチの一部に設けるのでもよく、またパウチの全面に渡って設けるのでもよい。あるいは、印刷層を用いずに表示部を設ける方法としては、たとえばパウチの表面に印刷されたシールを貼着することも可能である。
【００４４】
ここで、印刷方法、および印刷インキには、とくに制約を設けるものではないが、既知の印刷方法の中からプラスチックフィルムへの印刷適性、色調などの意匠性、密着性、ほかにもたとえば食品容器としての安全性などを考慮すれば適宜選択してよい。
【００４５】
たとえば、グラビア印刷法、オフセット印刷法、グラビアオフセット印刷法、フレキソ印刷法、シルクスクリーン印刷法、インクジェット印刷法などの既知の印刷方法から選択して用いることができる。中でもグラビア印刷法は、生産性、プラスチックフィルムへの
印刷適性、および絵柄の高精細度において好ましく用いることができる。
【００４６】
図２は、本発明に係るスタンディングパウチに関して、形状保持部材の一実施態様を説明するための部分断面模式図である。
【００４７】
図２に示す例においては、形状保持部材（６）は、ヒートシーラブル性を有するポリエチレンテレフタレートフィルム（２１）を基材として、形状保持性を有する高密度ポリエチレンフィルム（２３）が積層された積層体からなる例である。
【００４８】
ヒートシーラブル性を有するポリエチレンテレフタレートフィルム（２１）は、たとえばＨＳ−ＰＥＴとして商品化されており、ポリエチレンテレフタレートフィルムでありながら、ヒートシール性を有するため、シーラント層を用いることなく、熱ラミネートすることが可能である。
【００４９】
したがって、この積層は、ヒートシーラブル性を有するポリエチレンテレフタレートフィルム（２１）と、形状保持性を有する高密度ポリエチレンフィルム（２３）とが、熱によるラミネートによって積層されて、形状保持部材（６）を形成するものであってもよい。
【００５０】
また、形状保持性を有する高密度ポリエチレンフィルム（２３）は、高密度ポリエチレン樹脂（ＨＤＰＥ）を、一方向に高度に配向させた超延伸フィルムで、機械的強度、弾性に優れるほか、外力を加えたときの形状保持性を備えている。本発明における、開口部の形状保持は、この性質によるものである。また、形状保持性を有する高密度ポリエチレンフィルム（２３）は、たとえば、テープ状のものや、シート状のものが、商品化されている。
【００５１】
また、このときスタンディングパウチ（１００）の外側の面に接する側には、ヒートシーラブル性を有するポリエチレンテレフタレートフィルム（２１）が配置されて、たとえば熱を用いて開封予定線（５）の位置に沿って、その近傍の下方に、接着することができる。
【００５２】
図３は、本発明に係るスタンディングパウチに関して、形状保持部材の他の実施態様を説明するための部分断面模式図である。
【００５３】
図３に示す例においては、形状保持部材（６）は、ヒートシーラブル性を有するポリエチレンテレフタレートフィルム（２１）と、形状保持性を有する高密度ポリエチレンフィルム（２３）とが、直鎖状低密度ポリエチレン樹脂層（２２）を層を介して積層されたものである。
【００５４】
このときスタンディングパウチ（１００）の外側に接する側には、図２に示す例と同様に、ヒートシーラブル性を有するポリエチレンテレフタレートフィルム（２１）が配置されて、たとえば熱を用いて開封予定線（５）の位置に沿って、その近傍の下方に接着することができる。
【００５５】
このように、スタンディングパウチ（１００）を開封して開口部を設けた際に、開口部を形成する積層体において、開封予定線（５）の近傍の下方に形状保持部材（６）が設けてあることによって、開口部は閉じることなくその開口した形状を保持して、内容物の取出しなどにおいて、利便性を提供することができる。形状保持部材（６）は、少なくともスタンディングパウチ（１００）の片側の胴部外側に設ける。
【００５６】
たとえば、内容物が食品であるような場合においては、開口した形状を保持されたスタンディングパウチ（１００）の開口部からフォークやスプーンなどの食器を差し入れて、内容物の食品を直接喫食することも可能である。
【００５７】
すなわち、本発明が課題とするところの、スタンディングパウチを開封した後において、開口部が広げられた状態を保持することができるスタンディングパウチを提供することが可能である。
【実施例】
【００５８】
以下本発明を、実施例１〜実施例２、および比較例１〜比較例２によって更に具体的な説明を加える。また図５〜図８もあわせて参照しながら説明を加える。ただし本発明は、ここに示す例にのみ限定されるものではない。本発明は、請求項によって限定されるものである。
【００５９】
評価用のスタンディングパウチを実施例１〜実施例２、および比較例１〜比較例２それぞれに作成して、評価した。
【００６０】
図４は、本発明に係るスタンディングパウチに関して、実施例で作成したスタンディングパウチの形状および寸法を示した平面模式図である。
【００６１】
（パウチの寸法）
タンデイングパウチの寸法は、実施例１〜実施例２、および比較例１〜比較例２は共通であって、下記のとおりである。
幅：１６０ｍｍ
高さ：１５８ｍｍ。
【００６２】
（パウチの層構成）
また、スタンディングパウチの層構成は、実施例１〜実施例２、および比較例１〜比較例２は共通であって、下記のとおりである。
パウチ外側から、
ヒートシーラブルポリエチレンテレフタレートフィルム（厚さ１２μｍ）／ポリアミドフィルム／直鎖状低密度ポリエチレンフィルム
とした。
【００６３】
（形状保持部材の層構成）
また、形状保持部材はテープ状のものとして、その層構成は、実施例１〜実施例２、および比較例１は共通であって、下記のとおりである。
パウチ積層体に接する側から、
ヒートシーラブルポリエチレンテレフタレートフィルム／直鎖状低密度ポリエチレン層（厚さ３０μｍ）／形状保持性を有する高密度ポリエチレンフィルム（厚さ４００μｍ）
とした。
【００６４】
（評価方法）
内容物は、ハンバーグとした。
【００６５】
（評価項目）
・形状保持性：開口部（１５）の形状が保持されるかどうか。
・中身の取り出し易さ：内容物である食品の取り出し、スプーンやフォーク、箸などの食器の出し入れが容易かどうか。
・衛生性：食品にポリエチレン粉等の混入がないか。
【００６６】
それぞれの項目について、◎→〇→△→×の評価を行ない、総合評価をおこなった。
一項目以上に×評価があるものは、総合評価において×判定とした。
【００６７】
＜実施例１＞
図５は、本発明に係るスタンディングパウチに関して、実施例１を説明するための斜視模式図である。
すなわち、形状保持部材（６）を、スタンディングパウチの一方の胴部外側、開封予定線（５）の位置に沿って、その近傍の下方に接着した。
【００６８】
＜実施例２＞
図６は、本発明に係るスタンディングパウチに関して、実施例２を説明するための斜視模式図である。
すなわち、形状保持部材（６）を、スタンディングパウチの表裏両方の胴部外側、開封予定線（５）の位置に沿って、その近傍の下方に接着した。
【００６９】
＜比較例１＞
図７は、実施例におけるスタンディングパウチに関して、比較例１を説明するための斜視模式図である。
すなわち、形状保持部材（６）を、スタンディングパウチの一方の胴部内側、開封予定線（５）の位置に沿って、その近傍の下方に接着した。
【００７０】
＜比較例２＞
図８は、実施例におけるスタンディングパウチに関して、比較例２を説明するための斜視模式図である。
すなわち、形状保持部材は用いていない。
【００７１】
評価結果を、表１に示す。
【００７２】
【表１】
2020006997.tif 000003
【００７３】
表１に示す結果から明らかなように、本発明による実施例１および実施例２は、各評価項目において〇評価以上であり、総合評価において、それぞれ〇評価、◎評価であった。
【００７４】
それに対して、比較例１はスタンディングパウチ内側に形状保持部材を配置してあるために、形状保持部材由来のポリエチレン粉の混入があり、×評価であり、総合評価は×評価である。
【００７５】
また、比較例２においては、形状保持部材を用いていないために、形状保持性が×評価であり、したがって中身の取出し易さも×評価であって、総合評価は×評価である。
【００７６】
このように本発明によれば、スタンディングパウチを開封した後において、開口部が広げられた状態を保持することができるスタンディングパウチの提供が可能であることを、検証することができた。
【符号の説明】
【００７７】
１・・・表側胴部
２・・・左右両端部
３・・・底部シール部
４・・・シール予定部
５・・・開封予定線
６・・・形状保持部材
７・・・底フィルム
８・・・後ろ側胴部
９・・・切込み
１０・・・胴部下部
１１・・・胴部上部
１２・・・上部シール部
１３・・・折り目
１５・・・開口部
２１・・・ヒートシーラブル性を有するポリエチレンテレフタレートフィルム
２２・・・直鎖状低密度ポリエチレン樹脂層
２３・・・形状保持性を有する高密度ポリエチレンフィルム
１００・・・スタンディングパウチ
【図１】
2020006997.tif 000004
【図２】
2020006997.tif 000005
【図３】
2020006997.tif 000006
【図４】
2020006997.tif 000007
【図５】
2020006997.tif 000008
【図６】
2020006997.tif 000009
【図７】
2020006997.tif 000010
【図８】
2020006997.tif 000011